(57)【要約】【課題】動作している電動送風機に依存せずに表示手段および電動送風機に同一のタイミングで所定動作をさせることが可能な電気掃除機を提供する。【解決手段】電動送風機15の動作時の風量が第１所定風量以下のときに制御手段16が表示手段47に集塵袋の目詰まりを表示させる。電動送風機15の動作時の風量が第２所定風量以下のときに制御手段16が電動送風機15をパワーダウンさせる。動作させる電動送風機15を制御手段16が所定条件に応じて切り換えても、動作している電動送風機15に依存することなく表示手段47の表示および電動送風機15のパワーダウンを、同一のタイミングで行わせることができる。【選択図】図１
2011030776.tif 000002
【特許請求の範囲】
【請求項１】
複数の電動送風機を収容するとともに、これら電動送風機の吸込側に位置する集塵部を備えた掃除機本体と、
動作可能な動作部と、
動作させる前記電動送風機を所定条件に応じて切り換え可能で、前記電動送風機の動作時の風量が所定風量以下のときに前記動作部に所定動作をさせるように前記動作部の動作を制御する制御手段と
を具備したことを特徴とした電気掃除機。
【請求項２】
動作している電動送風機の電流値を検出して出力する電流検出手段と、
前記各電動送風機のそれぞれの動作時の風量が所定風量のときに前記電流検出手段からの各電流出力値が等しくなるようにこれら電流出力値の少なくともいずれかを調整する調整手段とを具備し、
制御手段は、前記調整手段により調整された前記電流検出手段からの電流出力値に基づいて前記電動送風機および動作部の動作をそれぞれ制御する
ことを特徴とした請求項１記載の電気掃除機。
【請求項３】
制御手段は、各電動送風機のそれぞれの動作時の風量が所定風量以下のときに動作部が所定動作を行うように前記電動送風機毎に設定された閾値テーブルを備えている
ことを特徴とした請求項１記載の電気掃除機。
【請求項４】
動作している電動送風機の電流値を検出して出力する電流検出手段と、
予め設定された所定基準値と前記電流検出手段からの前記各電動送風機の電流出力値との差に基づいて算出した補正値をそれぞれ記憶可能な記憶手段とを具備し、
制御手段は、動作させている前記電動送風機のそれぞれに対応して前記記憶手段に記憶した補正値により前記電流検出手段の電流出力値を補正し、この補正した電流出力値に基づいて前記電動送風機および動作部の動作をそれぞれ制御する
ことを特徴とした請求項１記載の電気掃除機。
【請求項５】
動作している電動送風機の電流値を検出して出力する電流検出手段を具備し、
制御手段は、前記電流検出手段からの前記各電動送風機のうちのいずれかの電流出力値を基準値として前記電流検出手段からの他の前記電動送風機の電流出力値を補正し、これら電流出力値に基づいて前記電動送風機および動作部の動作をそれぞれ制御する
ことを特徴とした請求項４記載の電気掃除機。
【請求項６】
所定風量は、集塵部に所定量の塵埃が溜まったときの風量である
ことを特徴とした請求項１ないし５いずれか一記載の電気掃除機。
【請求項７】
複数の電動送風機を収容するとともに、これら電動送風機の吸込側に位置する集塵部を備えた掃除機本体と、動作可能な動作部と、動作している前記電動送風機の電流値を検出する電流検出手段と、前記電流検出手段からの電流出力値を調整可能な調整手段と、動作させる前記電動送風機を所定条件に応じて切り換え可能で、前記調整手段により調整された前記電流検出手段からの電流出力値に応じて前記各電動送風機および前記動作部の動作をそれぞれ制御する制御手段とを具備した電気掃除機の調整方法であって、
前記掃除機本体に前記各電動送風機を組み込んだ状態で前記各電動送風機をそれぞれ所定風量となるように動作させて、前記電流検出手段からの前記各電動送風機に対応する電流出力値が予め設定された所定値になるように前記調整手段により調整する
ことを特徴とした電気掃除機の調整方法。
【発明の詳細な説明】
【技術分野】
【０００１】
本発明は、複数の電動送風機を備えた電気掃除機およびその調整方法に関する。
【背景技術】
【０００２】
従来、この種の電気掃除機は、例えば１対の電動送風機が掃除機本体内に収容されている。この掃除機本体には、各電動送風機の吸込側に連通する集塵室が形成されている。また、掃除機本体には、各電動送風機の動作を制御する制御手段が配置されている。そして、この制御手段は、作業者により設定された弱、中、強などの動作モードなどに応じて、電動送風機の動作を切り換えるように構成されている(例えば、特許文献１および２参照。)。
【先行技術文献】
【特許文献】
【０００３】
【特許文献１】特開２００７−２０７６５号公報(第５−６頁、図１−２)
【特許文献２】特開２００９−１２５３９９号公報(第３−８頁、図１−３)
【発明の概要】
【発明が解決しようとする課題】
【０００４】
上述の電気掃除機では、例えば各電動送風機の総運転時間を略均一化することで、各電動送風機の使用寿命の均一化を図るために、作業者が同一の動作モードで電気掃除機を動作させようとしたときでも、制御手段が必要に応じて動作させる電動送風機を切り換えることがある。例えば、電気掃除機を一旦停止させた後、あらためて電気掃除機を停止直前と同一の動作モードで再動作させようとしたときなどの所定条件時に、停止直前には停止させていた電動送風機を動作させ、停止直前には動作させていた電動送風機を停止させるように制御することがある。
【０００５】
しかしながら、このような制御をする場合、それぞれの電動送風機に入力のばらつきがあるため、同一の動作モード、および、同一の集塵量などであるにも拘らず、ごみ捨て時期を作業者に報知するための表示部の表示のタイミング、あるいは電動送風機のパワーダウンのタイミングなどが異なることがあるという問題点を有している。
【０００６】
本発明は、このような点に鑑みなされたもので、動作している電動送風機に依存せずに動作部に同一のタイミングで所定動作をさせることが可能な電気掃除機およびその調整方法を提供することを目的とする。
【課題を解決するための手段】
【０００７】
本発明は、複数の電動送風機を収容するとともに、これら電動送風機の吸込側に位置する集塵部を備えた掃除機本体と、動作可能な動作部と、動作させる電動送風機を所定条件に応じて切り換え可能で、電動送風機の動作時の風量が所定風量以下のときに動作部に所定動作をさせるように動作部の動作を制御する制御手段とを具備したものである。
【０００８】
また、本発明は、複数の電動送風機を収容するとともに、これら電動送風機の吸込側に位置する集塵部を備えた掃除機本体と、動作可能な動作部と、動作している電動送風機の電流値を検出する電流検出手段と、電流検出手段からの電流出力値を調整可能な調整手段と、動作させる電動送風機を所定条件に応じて切り換え可能で、調整手段により調整された電流検出手段からの電流出力値に応じて各電動送風機および動作部の動作をそれぞれ制御する制御手段とを具備した電気掃除機の調整方法であって、掃除機本体に各電動送風機を組み込んだ状態で各電動送風機をそれぞれ所定風量となるように動作させて、電流検出手段からの各電動送風機に対応する電流出力値が予め設定された所定値になるように調整手段により調整するものである。
【発明の効果】
【０００９】
本発明によれば、電動送風機の動作時の風量が所定風量以下のときに制御手段が動作部に所定動作をさせることで、動作させる電動送風機を制御手段が所定条件に応じて切り換えても、動作している電動送風機に依存することなく動作部に同一のタイミングで所定動作をさせることができる。
【００１０】
また、本発明によれば、掃除機本体に各電動送風機を組み込んでそれぞれ所定風量となるように動作させて、電流検出手段からの各電動送風機に対応する電流出力値が予め設定された所定値になるように調整手段により調整することで、この調整された電流出力値に応じて電動送風機および動作部の動作を制御手段が制御すると、電動送風機の動作時の風量が所定風量以下のときに動作部に所定動作をさせることが容易に可能になり、動作させる電動送風機を制御手段が定条件に応じて切り換えても、動作している電動送風機に依存することなく動作部に同一のタイミングで所定動作をさせることができる。
【図面の簡単な説明】
【００１１】
【図１】本発明の第１の実施の形態の電気掃除機を示すブロック図である。
【図２】同上電気掃除機を示す平面図であり、(a)は一方の電動送風機を動作させた状態を示し、(b)は他方の電動送風機を動作させた状態を示し、(c)は全ての電動送風機を動作させた状態を示す。
【図３】同上電気掃除機を示す斜視図である。
【図４】同上電気掃除機の風量と入力との特性および電動送風機の制御を示すグラフである。
【図５】本発明の第２の実施の形態の電気掃除機を示すブロック図である。
【図６】本発明の第３の実施の形態の電気掃除機を示すブロック図である。
【図７】本発明の第４の実施の形態の電気掃除機を示すブロック図である。
【図８】本発明の第５の実施の形態の電気掃除機を示すブロック図である。
【発明を実施するための形態】
【００１２】
以下、本発明の第１の実施の形態の構成を図１ないし図４を参照して説明する。
【００１３】
図１ないし図３において、10はいわゆるキャニスタ型の電気掃除機であり、この電気掃除機10は、掃除機本体11を有している。この掃除機本体11は、中空な本体ケース12を備え、この本体ケース12の内部には、前側に位置し集塵部としてのフィルタである集塵袋13を着脱可能な集塵室14と、後側に位置し複数、例えば２つの動作部としての電動送風機15A，15B(以下、これら電動送風機15A，15Bの少なくともいずれか、あるいは全体を単に電動送風機15ということがある)、制御手段16および図示しないコードリールをそれぞれ収容した電動送風機室17とに、隔壁部18により区画されている。また、本体ケース12の前部には、集塵室14に連通する本体吸込口21が開口形成されており、この本体吸込口21には、湾曲可能な細長略円筒状の接続管としてのホース体22が連通接続されている。さらに、ホース体22の先端には、管状の手元操作部23が設けられ、この手元操作部23には、掃除する際に作業者が把持する把持部24が基端側に突設され、この把持部24には、電動送風機15などの動作状態すなわち動作モードを所定の状態に設定する複数、例えば３つの設定ボタン25a，25b，25cと、電源のオンオフ用のスイッチである入／切ボタン26とがそれぞれ設けられている。なお、以下、設定ボタン25a，25b，25cの少なくともいずれか、あるいは全体を単に設定ボタン25ということがある。また、この手元操作部23の先端には、伸縮可能な細長略円筒状の延長管27が着脱可能に連通接続されている。さらに、この延長管27の先端には、例えば室内の被掃除面である床面の絨毯などの上に設置させて、この絨毯上の塵埃を吸い込む吸込口体としての床ブラシ28が着脱可能に連通接続されている。
【００１４】
本体ケース12は、隔壁部18が設けられ上側が開放された下ケース31と、この下ケース31の前側である集塵室14の上部を開閉する蓋体32と、下ケース31の後側である電動送風機室17の上部を閉塞する上ケース33とを有している。そして、本体ケース12には、排気孔34が多数穿設されている。
【００１５】
下ケース31の後側である電動送風機室17の両側部には、掃除機本体11を床面上で走行させるための大径の走行輪35が回動可能に軸支されているとともに、前側である集塵室14の床面に対向する底部に、従動輪である図示しない旋回輪が旋回可能に設けられている。
【００１６】
集塵袋13は、例えば使い捨ての紙パックであり、集塵室14に固定される図示しない口枠と、この口枠に取り付けられた袋状の袋体38とを備えている。
【００１７】
集塵室14は、電動送風機15A，15Bに共通して形成されており、電動送風機15A，15Bのそれぞれの吸込側が連通可能となっている。
【００１８】
電動送風機15A，15Bは、集塵室14に対して気密に接続可能な吸込口41A，41Bを前端に備えているとともに、後端側の外周面に複数の排気口42A，42Bを備え、電動送風機室17に互いに幅方向に並んで配置されている。なお、以下、吸込口41A，41Bの少なくともいずれか、あるいは全体を単に吸込口41といい、排気口42A，42Bの少なくともいずれか、あるいは全体を単に排気口42ということがある。また、この電動送風機15A，15Bは、商用交流電源ｅに対して互いに並列に接続されている。
【００１９】
また、制御手段16は、電動送風機15A，15Bのそれぞれに対応してトライアックなどのスイッチング素子43A，43B(以下、これらスイッチング素子43A，43Bの少なくともいずれか、あるいは全体を単にスイッチング素子43ということがある)などを備えた回路基板であり、設定ボタン25により入力された動作モードに応じて、位相角制御などにより電動送風機15A，15Bのそれぞれを独立して動作可能に構成されている。例えば、制御手段16は、設定ボタン25b，25cにより中モードあるいは弱モードなどの相対的に吸込力が小さい第１モードである動作モード(フルパワーの半分以下の吸込力の動作モード)が選択された場合には、電動送風機15の少なくともいずれかを除く残りの他を動作させ(電動送風機15A，15Bのいずれかを動作させて電動送風機15B，15Aのいずれかを停止させ)、設定ボタン25aにより強モードなどの相対的に吸込力が大きい第２モードである動作モード(フルパワーの半分より大きい吸込力の動作モード)が選択された場合には、電動送風機15を全て(電動送風機15A，15Bをともに)動作させるように自動的に切り換え制御する。
【００２０】
例えば、制御手段16は、強モード(フルパワー)時には、電動送風機15A，15Bをともに入力１０００Ｗで動作させ、中モード時には、電動送風機15A，15Bのいずれかを入力１０００Ｗで動作させ、弱モード時には、電動送風機15A，15Bのいずれかを入力４００Ｗで動作させる。すなわち、中モードおよび弱モード時には、いずれか一方の電動送風機15を単独で動作させる。
【００２１】
なお、制御手段16は、集塵袋13に捕集している塵埃量などに応じて、各動作モードにおいて予め設定された入力範囲で上記入力値を増減させる。例えば、制御手段16は、図４に示すように集塵袋13(図２)の集塵量の増加などに伴う目詰まりによって風量Ｑが低下するに従い電動送風機15(図２)の入力を段階的に順次大きくする第１制御モードと、この第１制御モードにおいて、動作モード毎に予め設定された所定の上限入力値PUになると、風量Ｑに拘らず入力を略一定に制御する(増加させない)第２制御モードと、この第２制御モードで風量Ｑが所定風量である第１所定風量Q1よりも小さい所定風量である第２所定風量Q2以下になると、電動送風機15(図２)の入力を所定の低減入力値PL以下まで低下させて電動送風機15(図２)を保護する、パワーダウンモードである第３制御モードとを備えている。
【００２２】
また、図１に示すように、制御手段16には、電流検出手段44A，44Bが、調整手段としての調整抵抗器45A，45Bを介して電気的に接続されている。さらに、この制御手段16は、電流検出手段44A，44Bと電動送風機15A，15Bとの間を電気的に遮断可能な電流遮断手段としてのスイッチ46A，46Bの開閉を制御可能に構成されている。そして、この制御手段16には、動作部としての表示手段47が電気的に接続されている。なお、以下、電流検出手段44A，44Bの少なくともいずれか、あるいは全体を単に電流検出手段44といい、調整抵抗器45A，45Bの少なくともいずれか、あるいは全体を単に調整抵抗器45ということがある。
【００２３】
電流検出手段44A，44Bは、例えばトランス式、あるいは半導体式の電流センサなどにより構成されており、電動送風機15A，15Bに流れる電流値を検出して制御手段16側へと出力可能となっている。
【００２４】
調整抵抗器45A，45Bは、電流検出手段44A，44Bから制御手段16へと出力される電流出力値を調整するためのものであり、例えば可変抵抗器などで構成されている。また、これら調整抵抗器45A，45Bは、本体ケース12に穿設された調整用孔部49(図２)を介して外部から抵抗値を可変操作することが可能となっている。
【００２５】
スイッチ46A，46Bは、電動送風機15A，15Bの異常温度などを検出して電流を遮断する保護手段であり、例えばサーモスタットなどが用いられる。
【００２６】
表示手段47は、集塵袋13(図２)の集塵量が所定量以上になった場合、あるいは集塵袋13(図２)が目詰まりを起こしている場合などに、作業者に報知して集塵袋13の交換などを促すための報知手段であり、例えばランプ、あるいはモニタなどにより構成され、作業者が掃除作業をしている際に目視可能な位置、例えば上ケース33(図２)の上部などに配置されている。
【００２７】
また、コードリールには、商用交流電源ｅに接続されるプラグ部を先端部に有する図示しない電源コードが導出可能に巻回されている。
【００２８】
一方、図２に示す電動送風機室17は、電動送風機15A，15Bに共通して形成されており、排気孔34を介して本体ケース12の外部と連通している。
【００２９】
隔壁部18には、集塵室14と電動送風機室17とを連通する丸孔状の大径の連通孔51A，51Bが電動送風機15A，15Bのそれぞれの前側に対向する位置に開口形成され、これら連通孔51A，51Bの上流側である前部には、フィルタ52A，52Bがそれぞれ取り付けられ、連通孔51A，51Bの後部には、電動送風機15A，15Bの吸込口41A，41Bとの間に、逆流防止手段としての開閉手段である逆流防止弁ユニット53A，53Bが取り付けられている。
【００３０】
連通孔51A，51Bは、上流側である前部がフィルタ52A，52Bにより覆われている。
【００３１】
フィルタ52A，52Bは、集塵袋13で捕集できなかった塵埃を捕集するものである。
【００３２】
逆流防止弁ユニット53A，53Bは、対応する電動送風機15の動作時の負圧により開き、対応する電動送風機15の停止時には閉じ、かつ、他の電動送風機15の動作時には、他の電動送風機15の動作による負圧によって閉じるように構成されている。すなわち、逆流防止弁ユニット53A，53Bは、上流側と下流側との圧力差(風力)によって開閉可能となっている。
【００３３】
次に、上記第１の実施の形態の作用を説明する。
【００３４】
例えば工場出荷前などの電気掃除機10の調整工程では、本体ケース12内に電動送風機15A，15Bをそれぞれ組み込んだ状態で、例えば電動送風機15Aを所定風量Q1，Q2(図４)、例えば集塵袋13に所定量の塵埃が溜まったときの風量となるように動作させて、図１に示す電流検出手段44Aから出力される電流出力値を測定し、この電流出力値が所定の電流値となるように、調整用孔部49(図２)を介して調整抵抗器45Aの抵抗値を可変操作する。この所定の電流値は、標準的な入力を有する電動送風機15を所定風量Q1，Q2(図４)としたときの電流出力値などとして、予め設定されている。
【００３５】
次いで、電動送風機15Aを停止させた後、電動送風機15Bを上記所定風量Q1，Q2(図４)となるように動作させて、電流検出手段44Bから出力される電流出力値を測定し、上記電動送風機15Aと同様に、電流出力値が所定の電流値となるように、調整用孔部49(図２)を介して調整抵抗器45Bの抵抗値を可変操作する。
【００３６】
なお、一旦調整した調整抵抗器45A，45Bの抵抗値は、基本的に固定し、その後可変させることはない。
【００３７】
図２に示すように、掃除の際には、まず、新たな集塵袋13を用いる場合には、蓋体32(図３)を開けて露出した集塵室14に集塵袋13を取り付け、蓋体32(図３)を閉じた後、電源コードを引き出して先端部のプラグ部をコンセント(商用交流電源ｅ(図１))に接続する(プラグイン)。集塵袋13を新たにしない場合には、蓋体32(図３)を開閉することなく電源コードを引き出してプラグ部をコンセント(商用交流電源ｅ(図１))に接続する。
【００３８】
そして、図３に示す本体吸込口21に接続されたホース体22の手元操作部23の把持部24を把持し、電動送風機15の停止状態から、入／切ボタン26を操作することで、図１に示す掃除機本体11内の制御手段16がスイッチング素子43によって電動送風機15の動作を位相角制御して負圧を発生させる。
【００３９】
このとき、制御手段16は、例えば電動送風機15を中モードで動作させる。ここでは、便宜的に電動送風機15Aを動作させるものとする。この状態で、制御手段16は、作業者が設定ボタン25cを操作した際には、それぞれ電動送風機15Aの入力を可変させて電動送風機15Aの動作モードを弱モードに切り換える。一方、制御手段16は、作業者が設定ボタン25aを操作した際には、電動送風機15A，15Bの入力をそれぞれ可変させて電動送風機15A，15Bをともに動作させる強モードに切り換える。
【００４０】
そして、例えば作業者が入／切ボタン26を操作した際には、制御手段16が電動送風機15Aを停止させる。
【００４１】
この後、例えば作業者が再度入／切ボタン26を操作すると、制御手段16が電動送風機15Bを例えば中モードで動作させる。この状態で、制御手段16は、作業者が設定ボタン25cを操作した際には、電動送風機15Bの入力を可変させて電動送風機15Bの動作モードを弱モードに切り換える。さらに、制御手段16は、作業者が設定ボタン25aを操作した際には、電動送風機15A，15Bの入力をそれぞれ可変させて電動送風機15A，15Bをともに動作させる強モードに切り換える。
【００４２】
すなわち、制御手段16は、電気掃除機10(電動送風機15)を一旦停止し、再起動させたとき、換言すれば起動毎(入／切ボタン26を操作する毎)などの所定条件時に、動作させる電動送風機15を切り換える。
【００４３】
なお、動作させる電動送風機15を切り換える所定条件は任意に設定できる。例えば、制御手段16は、複数回などの所定回起動させる毎に動作させる電動送風機15を切り換えてもよいし、動作モードを変化させたときに動作させる電動送風機15を切り換えてもよい。ここで、動作させる電動送風機15の切り換えとは、全ての電動送風機15をフルパワー(最大入力)で動作させる動作モードに適用されないことはいうまでもないが、例えば全ての電動送風機15をフルパワーで動作させる動作モード(例えば強モード)で起動した後、電動送風機15を一旦停止させることなく電動送風機15の少なくともいずれかを動作させる動作モード(例えば中モードあるいは弱モード)などに切り換えた際には、この動作させる電動送風機15が、前回少なくともいずれかの電動送風機15を動作させる動作モード(前回の中モードあるいは弱モード)の際に動作させた電動送風機15に対して切り換わるように構成してもよい。さらに、動作させる電動送風機15の切り換えとは、必ずしも全ての電動送風機15の動作を切り換えることをいうものではない。すなわち、例えば３つの電動送風機15を有する構成の場合、２つずつを順次切り換えるようにする制御なども含むものとする。いずれにしても、電動送風機15全体としてみた場合に、前回動作時と動作している電動送風機15が異なっていれば、動作させる電動送風機15を切り換えたことを意味するものとする。
【００４４】
そして、図２に示す逆流防止弁ユニット53A，53Bは、電動送風機15A，15Bをともに動作させる強モードのときに両方が開き(図２(c))、電動送風機15Aのみを動作させるときには、逆流防止弁ユニット53Aのみが開いて逆流防止弁ユニット53Bが閉じ(図２(a))、電動送風機15Bのみを動作させるときには、逆流防止弁ユニット53Bのみが開いて逆流防止弁ユニット53Aが閉じる(図２(b))。
【００４５】
この後、図３に示すように、作業者が、把持した把持部24により、ホース体22の先端側に延長管27を介して接続された床ブラシ28を床面上などで前後に走行させると、電動送風機15の負圧により床ブラシ28の先端から塵埃とともに吸い込まれた空気は吸込風となり、塵埃とともに延長管27、ホース体22および本体吸込口21を介して図２に示す集塵袋13へと吸い込まれ、この集塵袋13の袋体38を通過する際に、含まれる塵埃が捕集される。
【００４６】
袋体38を通過した空気は、フィルタを通過した後、連通孔を介して電動送風機15の吸込口41へと吸い込まれ、この電動送風機15内を通過して排気口42から排気風として排気され、排気孔34を介して電動送風機室17から本体ケース12の外部へと排気される。
【００４７】
集塵袋13の袋体38は、集塵量が増加するに従い目詰まりが生じ始めるので、電動送風機15の動作による風量Ｑは、図４に示すように、電動送風機15の入力が一定の場合、徐々に低下する。このような風量Ｑの低下に伴い、電動送風機15の電流値は徐々に減少する。このため、図１に示す制御手段16は、電流検出手段44により調整抵抗器45を介して電動送風機15の電流値を測定することで、各電動送風機15の動作による風量Ｑを間接的に測定し、測定した電流値と予め設定された所定の電流閾値とを比較して、風量Ｑが低下していると判断すれば段階的に電動送風機15の入力を順次上げることで、風量Ｑの維持を図る(第１制御モード)。
【００４８】
また、制御手段16は、電動送風機15の入力が動作モード毎に予め設定された所定の上限入力値以上になったと判断すると、それ以上入力を上げずに入力を一定として電動送風機15を保護する(第２制御モード)。
【００４９】
さらに、制御手段16は、測定した電動送風機15の電流値が動作モード毎に予め設定された所定の第１下限閾値以下になったと判断すると、風量Ｑが第１所定風量Q1以下、すなわち集塵袋13(図２)に所定量以上の塵埃が集塵された(袋体38(図２)が所定以上に目詰まりした)と判断し、表示手段47に所定動作、すなわち集塵袋13(図２)の目詰まりの表示をさせる。
【００５０】
そして、制御手段16は、測定した電動送風機15の電流値が動作モード毎に予め設定された所定の第２下限閾値以下になったと判断すると、風量Ｑが第２所定風量Q2以下、すなわち電動送風機15に過負荷が掛かっていると判断し、電動送風機15の入力を予め設定された所定の低減入力値PL(図４)まで低下させて、所定動作、すなわち電動送風機15をパワーダウンさせる(第３制御モード)。
【００５１】
ここで、これら表示手段47の表示のタイミング、および、各制御モードの判断のタイミングにおいて、制御手段16は電流検出手段44により検出した電動送風機15の電流値を用いているため、電動送風機15の入力が異なる場合(例えば図４の実線と想像線に示す)、表示手段47による表示のタイミングが第１所定風量Q1(図４)となるタイミング、あるいは、第３制御モードへの切り換えの判断のタイミングが第２所定風量Q2(図４)と異なるおそれがある(図４中の風量Q1H，Q1L，Q2H，Q2L)。特に、上記第１の実施の形態では、所定条件時に動作させる電動送風機15を切り換えているため、例えば電動送風機15Aが動作している中モード、あるいは弱モードなどの状態で、入／切ボタン26を操作して電気掃除機10の運転を一旦停止させた後、再度入／切ボタン26を操作して電気掃除機10を運転させると、制御手段16は、電動送風機15Bを動作させて中モード、あるいは弱モードにすることがある。このとき、仮に電動送風機15Aを動作させている状態で表示手段47での集塵袋13の目詰まりが表示され、さらに制御モードが第３制御モードとなった場合に、電動送風機15Bの入力が電動送風機15Aの入力よりも大きいと、入／切ボタン26などを操作して電動送風機15Bの動作に切り換わったときに、表示手段47の表示が消え、あるいは制御モードが第２制御モードとなるおそれがある。すなわち、集塵袋13の状態に変化がないにも拘らず、入／切ボタン26などを操作するだけで表示手段47の動作および電動送風機15の制御モードが変化するおそれがある。
【００５２】
そこで、上記第１の実施の形態では、電動送風機15の動作時の風量Ｑが第１所定風量Q1(図４)以下のときに制御手段16が表示手段47に集塵袋13の目詰まりを表示させ、電動送風機15の動作時の風量Ｑが第２所定風量Q2(図４)以下のときに制御手段16が電動送風機15をパワーダウンさせることで、動作させる電動送風機15を制御手段16が所定条件に応じて切り換えても、動作している電動送風機15に依存することなく表示手段47の表示、あるいは電動送風機15のパワーダウンなどを、同一のタイミングで行わせることができる。
【００５３】
具体的に、各電動送風機15のそれぞれの動作時の風量Ｑが所定風量Q1，Q2(図４)以下のときに電流検出手段44からの各電流出力値が予め設定された所定値になるようにこれら電流出力値を調整抵抗器45により調整し、この調整された電流検出手段44からの電流出力値に基づいて制御手段16が電動送風機15および表示手段47の動作をそれぞれ制御するため、電動送風機15の特性のばらつきに拘らず、表示手段47の表示、あるいは電動送風機15のパワーダウンなどを、同一のタイミングで確実に行わせることができる。
【００５４】
また、調整抵抗器45による調整の際には、掃除機本体11に各電動送風機15を組み込んでそれぞれ所定風量Q1，Q2(図４)となるように動作させた状態で、電流検出手段44からの各電動送風機15に対応する電流出力値が予め設定された所定値になるように調整抵抗器45の抵抗値をそれぞれ可変させて調整することで、この調整された電流出力値に応じて電動送風機15および表示手段47の動作を制御手段16が制御すると、電動送風機15の動作時の風量Ｑが第１所定風量Q1(図４)以下のときに表示手段47に表示をさせたり電動送風機15の動作時の風量Ｑが第２所定風量Q2(図４)以下のときに電動送風機15をパワーダウンさせたりすることが容易に可能になる。
【００５５】
しかも、各電流検出手段44からの電流出力値を、それぞれを標準的な入力を有する電動送風機15を動作させたときの電流値に合わせることにより、電気掃除機10の吸込力などの個体差を低減できる。
【００５６】
さらに、表示手段47に表示をさせ、電動送風機15をパワーダウンさせるための所定風量Q1，Q2を、集塵袋13に所定量の塵埃が溜まったときの風量とすることにより、集塵袋13の交換時期を適切に作業者に伝達することが可能になる。
【００５７】
次に、第２の実施の形態を図５を参照して説明する。なお、上記第１の実施の形態と同様の構成および作用については、同一符号を付してその説明を省略する。
【００５８】
この第２の実施の形態は、上記第１の実施の形態において、電流検出手段44A，44Bに代えて、電動送風機15A，15Bに共通の電流検出手段55が配置され、この電流検出手段55と制御手段16との間に、配線56と、調整手段としての調整抵抗器57を有する配線58とがそれぞれ接続されているものである。
【００５９】
電流検出手段55は、上記電流検出手段44と同様に、例えばトランス式、あるいは半導体式の電流センサなどにより構成されており、電動送風機15A，15Bに流れる電流値を検出して制御手段16側へと出力可能となっている。
【００６０】
また、調整抵抗器57は、上記調整抵抗器45と同様に、電流検出手段55から制御手段16へと出力される電流出力値を調整するためのものであり、例えば可変抵抗器などで構成されている。ここでは、例えば電動送風機15Bを動作させたときに電流検出手段55から制御手段16へと出力される電流出力値を調整するものとする。また、この調整抵抗器57は、調整用孔部49(図２)を介して外部から抵抗値を可変操作することが可能となっている。
【００６１】
さらに、制御手段16は、電動送風機15Aのみを動作させているときには、配線56から入力される電流出力値を有効とし、電動送風機15Bのみを動作させているときには、配線58から(調整抵抗器57を介して)入力される電流出力値を有効としている。これらは、制御手段16においていずれの電動送風機15A，15Bを動作させているかを判断することにより、容易に判断可能となる。
【００６２】
そして、例えば工場出荷前などの電気掃除機10の調整工程では、本体ケース12内に電動送風機15A，15Bをそれぞれ組み込んだ状態で、例えば電動送風機15Aを所定風量Q1，Q2(図４)、例えば集塵袋13に所定量の塵埃が溜まったときの風量となるように動作させて、図１に示す電流検出手段55から出力される電流出力値を、配線56を介して測定する。この後、電動送風機15Aを停止させ、電動送風機15Bを上記所定風量Q1，Q2(図４)となるように動作させて、電流検出手段55から出力される電流出力値を、配線58を介して測定し、この電流出力値が、上記電動送風機15Aを所定風量Q1，Q2(図４)で動作させたときの電流出力値と等しくなるように、調整用孔部49(図２)を介して調整抵抗器57の抵抗値を可変操作する。
【００６３】
なお、一旦調整した調整抵抗器57の抵抗値は、基本的に固定し、その後可変させることはない。
【００６４】
このように、電動送風機15の動作時の風量Ｑが第１所定風量Q1(図４)以下のときに制御手段16が表示手段47に集塵袋13の目詰まりを表示させ、電動送風機15の動作時の風量Ｑが第２所定風量Q2(図４)以下のときに制御手段16が電動送風機15をパワーダウンさせるように、調整抵抗器57により電流出力値を調整することで、動作させる電動送風機15を制御手段16が所定条件に応じて切り換えても、動作している電動送風機15に依存することなく表示手段47の表示、あるいは電動送風機15のパワーダウンなどを、同一のタイミングで行わせることができるなど、上記第１の実施の形態と同様の作用効果を奏することができる。
【００６５】
また、いずれかの電動送風機15を動作させたときの電流検出手段55からの電流出力値に他の電動送風機15を動作させたときの電流検出手段55からの電流出力値を合わせるように調整抵抗器57で調整することにより、それぞれの電動送風機15に対応する電流出力値を調整する場合と比較して、この調整作業を短縮(軽減)できるとともに、電流検出手段55および調整抵抗器57を、それぞれ全ての電動送風機15に対応して配置する必要がなく、構成を簡略化でき、電気掃除機10を、より安価に構成できる。
【００６６】
次に、第３の実施の形態を図６を参照して説明する。なお、上記各実施の形態と同様の構成および作用については、同一符号を付してその説明を省略する。
【００６７】
この第３の実施の形態は、上記第１の実施の形態において、調整抵抗器45に代えて、制御手段16が電流検出手段44A，44Bからのそれぞれ電流出力値に対して異なる閾値テーブルを有しているものである。
【００６８】
すなわち、制御手段16は、表示手段47での表示、および、各制御モードの切り換えのための各閾値が、電動送風機15A，15Bのそれぞれの入力に応じて、これら電動送風機15A，15B毎に予め設定されており、いずれの電動送風機15A，15Bを動作させた状態でも、制御手段16によって、同じ風量時に同じ制御を行うことができるように構成されている。
【００６９】
例えば、電動送風機15Aの入力が電動送風機15Bの入力よりも大きい場合、制御手段16に設定されている電動送風機15A用の閾値テーブルは、電動送風機15B用の閾値テーブルよりもそれぞれ閾値が大きく設定されている。
【００７０】
これら閾値テーブルは、電気掃除機10の工場出荷前などの調整工程において、本体ケース12内に電動送風機15A，15Bをそれぞれ組み込んだ状態で、例えば電動送風機15A，15Bをそれぞれ所定風量Q1，Q2(図４)となるように動作させて、標準的な入力を有する電動送風機15の電流値に対する電流検出手段44A，44Bから出力される電流出力値のばらつきなどに応じてそれぞれ設定する。
【００７１】
そして、電動送風機15の動作時の風量Ｑが第１所定風量Q1(図４)以下のときに制御手段16が表示手段47に集塵袋13の目詰まりを表示させ、電動送風機15の動作時の風量Ｑが第２所定風量Q2(図４)以下のときに制御手段16が電動送風機15をパワーダウンさせるように制御手段16に閾値テーブルを設定することにより、動作させる電動送風機15を制御手段16が所定条件に応じて切り換えても、動作している電動送風機15に依存することなく表示手段47の表示、あるいは電動送風機15のパワーダウンなどを、同一のタイミングで行わせることができるなど、上記第１の実施の形態と同様の作用効果を奏することができる。
【００７２】
また、電流検出手段44からの電流出力値を調整するための調整手段が不要となるため、部品点数を抑制でき、電気掃除機10を、より安価に構成できる。
【００７３】
次に、第４の実施の形態を図７を参照して説明する。なお、上記各実施の形態と同様の構成および作用については、同一符号を付してその説明を省略する。
【００７４】
この第４の実施の形態は、上記第１の実施の形態の調整抵抗器45、および、第３の実施の形態の閾値テーブルに代えて、不揮発性の記憶手段59を有しているものである。
【００７５】
記憶手段59は、制御手段16に電気的に接続されている。また、この記憶手段59には、電流検出手段44A，44Bからの電流出力値をそれぞれ補正するための補正値が記憶されている。
【００７６】
この補正値は、電気掃除機10の工場出荷前などの調整工程において、本体ケース12内に電動送風機15A，15Bをそれぞれ組み込んだ状態で、例えば電動送風機15A，15Bをそれぞれ所定風量Q1，Q2(図４)となるように動作させて、標準的な入力を有する電動送風機15を動作させたときの電流値に対する電流検出手段44A，44Bから出力される電流出力値のばらつきなどに応じてそれぞれ設定する。
【００７７】
そして、電動送風機15の動作時の風量Ｑが第１所定風量Q1(図４)以下のときに制御手段16が表示手段47に集塵袋13の目詰まりを表示させ、電動送風機15の動作時の風量Ｑが第２所定風量Q2(図４)以下のときに制御手段16が電動送風機15をパワーダウンさせるように、記憶手段59に記憶した補正値によって電流検出手段44からの電流出力値をそれぞれ補正することにより、動作させる電動送風機15を制御手段16が所定条件に応じて切り換えても、動作している電動送風機15に依存することなく表示手段47の表示、あるいは電動送風機15のパワーダウンなどを、同一のタイミングで行わせることができるなど、上記第１の実施の形態と同様の作用効果を奏することができる。
【００７８】
また、記憶手段59に記憶する補正値を、標準的な入力を有する電動送風機15を動作させたときの電流値に基づいて設定することにより、電動送風機15の吸込力などの個体差を低減できる。
【００７９】
さらに、記憶手段59に記憶した補正値に基づいて電流検出手段44からの電流出力値をそれぞれ補正することにより、電流検出手段44からの電流出力値を調整するための調整手段が不要となるため、部品点数を抑制でき、電気掃除機10を、より安価に構成できるとともに、電動送風機15の入力に対応して、よりきめ細かい制御が可能になる。
【００８０】
次に、第５の実施の形態を図８を参照して説明する。なお、上記各実施の形態と同様の構成および作用については、同一符号を付してその説明を省略する。
【００８１】
この第５の実施の形態は、上記第２の実施の形態において、調整抵抗器57に代えて、上記第４の実施の形態の記憶手段59が制御手段16に電気的に接続されているものである。
【００８２】
この記憶手段59に記憶される補正値は、電気掃除機10の工場出荷前などの調整工程において、本体ケース12内に電動送風機15A，15Bをそれぞれ組み込んだ状態で、例えば電動送風機15Aを所定風量Q1，Q2(図４)となるように動作させて測定した電流検出手段55からの電流出力値と、電動送風機15Bを所定風量Q1，Q2(図４)となるように動作させて測定した電流検出手段55からの電流出力値とが互いに等しくなるように設定する。
【００８３】
そして、電動送風機15の動作時の風量Ｑが第１所定風量Q1(図４)以下のときに制御手段16が表示手段47に集塵袋13の目詰まりを表示させ、電動送風機15の動作時の風量Ｑが第２所定風量Q2(図４)以下のときに制御手段16が電動送風機15をパワーダウンさせるように、記憶手段59に記憶した補正値によって電流検出手段44からの電流出力値をそれぞれ補正することにより、動作させる電動送風機15を制御手段16が所定条件に応じて切り換えても、動作している電動送風機15に依存することなく表示手段47の表示、あるいは電動送風機15のパワーダウンなどを、同一のタイミングで行わせることができるなど、上記第４の実施の形態と同様の作用効果を奏することができる。
【００８４】
また、記憶手段59に記憶する補正値を、いずれかの電動送風機15を動作させたときの電流検出手段55からの電流出力値に基づいて設定することにより、補正値の算出作業を軽減できるとともに、記憶手段59に記憶するデータ量を低減でき、記憶手段59として、より安価なものを用いることができるなど、電気掃除機10を、より安価に構成できる。
【００８５】
なお、上記各実施の形態において、制御手段16による電動送風機15の制御モードは、上記以外でも任意に設定できる。
【００８６】
さらに、電動送風機15の動作時の風量Ｑが所定風量Q1，Q2以下のときに動作させる動作部としては、任意に設定でき、また、動作部の所定動作も任意に設定できる。
【００８７】
そして、集塵部としては、集塵カップ、あるいはフィルタなどでもよい。
【００８８】
また、例えば二次電池などを掃除機本体11に内蔵して電動送風機15および制御手段16に給電できる構成であれば、電源コードを用いない構成としてもよい。
【００８９】
さらに、調整手段としては、調整抵抗器45だけでなく、インピーダンスを可変できる任意のインピーダンス素子などを用いることが可能である。
【００９０】
そして、電気掃除機10としては、キャニスタ型に限らず、例えば掃除機本体11の下部に床ブラシ28を接続するアップライト型、あるいは、掃除機本体11の前部に床ブラシ28を接続するハンディ型などでも、対応して用いることができる。
【符号の説明】
【００９１】
10    電気掃除機
11    掃除機本体
13    集塵部としての集塵袋
15A，15B    動作部としての電動送風機
16    制御手段
44A，44B，55    電流検出手段
45A，45B，57    調整手段としての調整抵抗器
47    動作部としての表示手段
59    記憶手段
【図１】
2011030776.tif 000003
【図２】
2011030776.tif 000004
【図３】
2011030776.tif 000005
【図４】
2011030776.tif 000006
【図５】
2011030776.tif 000007
【図６】
2011030776.tif 000008
【図７】
2011030776.tif 000009
【図８】
2011030776.tif 000010